(57)【要約】【課題】光ピックアップシステムのモニタフォトダイオード利得制御装置を提供する。【解決手段】光ピックアップシステムでディスク記録及び再生を行う時、光を照射するレーザダイオード（ＬＤ）の光パワーに対してモニタリングするモニタフォトダイオード（ＰＤ）の利得制御装置は、ＬＤ光出力信号に相応する電圧信号と所定基準電圧信号とを比較する比較器と、比較器の出力利得をＬＤ光出力信号の種類によって選択的にスイッチングする利得選択部を含むことを特徴とする。本発明によれば、光ピックアップシステムのＬＤ温度変化による出力効率の低下に対して、モニタＰＤの記録及び再生の場合と予熱の場合とを分離して動作利得を選択させることによって、ＬＤパワー制御をさらに精密にできる。【選択図】図４
2004146050.tif 000002
【特許請求の範囲】
【請求項１】
　レーザダイオードを駆動するための光パワーを出力及び制御するピックアップシステムにおいて、
　レーザダイオードから出力された光パワーを検出し、レーザダイオードを駆動する光パワーの種類によって検出された光パワーに対する利得を選択及び適用して、レーザダイオードの制御時に光ピックアップシステムによって使われる光パワーモニタリング信号を出力するモニタフォトダイオードを含むことを特徴とする光ピックアップシステム。
【請求項２】
　前記モニタフォトダイオードは、
　レーザダイオードに予熱用オーバーパワーが出力されるように命令される時の第１利得と、記録または再生用パワーが出力されるように命令される時の第２利得と、を含むことを特徴とする請求項１に記載の光ピックアップシステム。
【請求項３】
　前記第１利得は、実質的に予熱用オーバーパワーに対して検出された光パワーに対する所定のカットオフ電圧を出力するように決められることを特徴とする請求項２に記載の光ピックアップシステム。
【請求項４】
　第２利得は、検出された光パワーが実質的に記録パワーまたは再生パワーである場合の所定のカットオフ電圧を出力するように決められることを特徴とする請求項２に記載の光ピックアップシステム。
【請求項５】
　前記モニタフォトダイオードは、
　レーザダイオードにオーバーパワーの出力が命令される時より記録または再生用パワーの出力が命令される時に利得が大きく動作されることを特徴とする請求項１に記載の光ピックアップシステム。
【請求項６】
　前記第１及び第２利得のうち何れか一つは、
　光ピックアップ制御部でレーザダイオード駆動のために指示されるパワーイネーブル信号の種類によって選択されることを特徴とする請求項２に記載の光ピックアップシステム。
【請求項７】
　前記第１利得は、前記パワーイネーブル信号がオーバーパワーイネーブル信号である時に選択されることを特徴とする請求項６に記載の光ピックアップシステム。
【請求項８】
　光ピックアップシステムでディスク記録及び再生を行う時、光を照射するレーザダイオードの光パワー信号についてモニタリングするモニタフォトダイオードの利得制御装置において、
　レーザダイオードから出力された光パワー信号に相応する電圧信号と所定の基準電圧信号とを比較して差信号を出力する比較器と、
　レーザダイオードから出力された光パワー信号の種類に相応する複数の利得から選択された利得を前記比較器から選択的に提供し、レーザダイオードから出力された光パワーを制御するのに使用するための利得制御信号を提供させる利得選択部と、を含むことを特徴とする光ピックアップシステムのモニタフォトダイオード利得制御装置。
【請求項９】
　光ピックアップ制御器を含み、
　前記比較器から出力された利得制御信号レベルを光ピックアップ制御器の入力信号レベルに合わせて出力する出力部をさらに含むことを特徴とする請求項８に記載の光ピックアップシステムのモニタフォトダイオード利得制御装置。
【請求項１０】
　前記利得選択部は、
　レーザダイオードに予熱用オーバーパワーを出力させる第１命令が与えられる時と、記録または再生用パワーを出力させる第２命令が与えられる時とを区分し、第１命令が与えられる時に第１利得を提供し、第２命令が与えられる時に第２利得を提供することを特徴とする請求項８に記載の光ピックアップシステムのモニタフォトダイオード利得制御装置。
【請求項１１】
　前記第１利得は、
　検出された光パワーが実質的にオーバーパワーである時に所定のカットオフ電圧を出力するように決められることを特徴とする請求項１０に記載の光ピックアップシステムのモニタフォトダイオード利得制御装置。
【請求項１２】
　前記第２利得は、
　検出された光パワーが実質的に記録または再生パワーである時、所定のカットオフ電圧を出力するように利得を選択することを特徴とする請求項１０に記載の光ピックアップシステムのモニタフォトダイオード利得制御装置。
【請求項１３】
　前記第２利得は、前記第１利得より大きいことを特徴とする請求項８に記載の光ピックアップシステムのモニタフォトダイオード利得制御装置。
【請求項１４】
　レーザダイオード駆動のためのパワーイネーブル信号を出力する光ピックアップ制御部をさらに備え、前記光ピックアップ制御部がレーザダイオードに入力されるパワーイネーブル信号を出力する時、前記利得選択部は第１利得を発生させ、パワーイネーブル信号がレーザダイオードに入力されない時、前記利得選択部は第２利得を発生させることを特徴とする請求項１０に記載の光ピックアップシステムのモニタフォトダイオード利得制御装置。
【請求項１５】
　前記パワーイネーブル信号は、
　光ピックアップ制御部からレーザダイオードに入力されるオーバーパワーイネーブル信号を利用してなされることを特徴とする請求項１４に記載の光ピックアップシステムのモニタフォトダイオード利得制御装置。
【請求項１６】
　レーザダイオードを駆動するための光パワーを出力及び制御するピックアップシステムにおいて、
　第１複数利得から選択され、入力信号によって駆動されるディスク類型に相応する第１利得を選択し、第２複数利得から選択され、レーザダイオードを駆動するのに使われる光パワーに相応する第２利得を選択し、選択された第１及び第２利得を利用して検出された光パワーを調整してレーザダイオードを駆動するのに使われるモニタリング信号を発生させるモニタフォトダイオード制御部を含むことを特徴とする光ピックアップシステム。
【請求項１７】
　前記モニタフォトダイオード制御部は、
　前記ディスクがＣＤである場合とＤＶＤである場合、前記第１利得を異にし、レーザダイオードに予熱用オーバーパワーを出力させる第１命令が与えられているか、記録または再生用パワーを出力させる第２命令が与えられるかによって第２利得を異にすることを特徴とする請求項１６に記載の光ピックアップシステム。
【請求項１８】
　第２利得は、
　レーザダイオードにオーバーパワーを出力させる第１命令が与えられる時、検出された光パワーが実質的にオーバーパワーである時、所定のカットオフ電圧が出力されるように決められることを特徴とする請求項１７に記載の光ピックアップシステム。
【請求項１９】
　前記第２利得は、
　レーザダイオードに記録または再生用パワーを出力させる第２命令が与えられる時、検出された光パワーが実質的に再生または記録パワーである時に所定のカットオフ電圧が出力されるように決められることを特徴とする請求項１７に記載の光ピックアップシステム。
【請求項２０】
　前記モニタフォトダイオード制御部は、
　レーザダイオードにオーバーパワーを出力させる第１命令が与えられる時より記録または再生用パワーを出力させる第２命令が与えられる時、第２利得をさらに大きく調整することを特徴とする請求項１６に記載の光ピックアップシステム。
【請求項２１】
　レーザダイオード駆動のためにパワーイネーブル信号を伝送する光ピックアップ制御器をさらに備え、前記第２利得は、レーザダイオードを駆動するために光ピックアップ制御器から伝送される時の光イネーブル信号を利用して選択されることを特徴とする請求項１７に記載の光ピックアップシステム。
【請求項２２】
　オーバーパワーイネーブル信号を伝送する制御器をさらに備え、
　前記第２利得は、そのオーバーパワーイネーブル信号を利用して選択されることを特徴とする請求項２１に記載の光ピックアップシステム。
【請求項２３】
　光ピックアップシステムでディスク記録及び再生を行う時、光を照射するレーザダイオードから出力される光信号に対してモニタリングするモニタフォトダイオードの利得制御装置において、
　レーザダイオードから出力されて検出された光パワーに相応する電圧信号と所定の基準電圧信号とを比較する比較器と、
　ディスクの種類によって、第１複数利得から選択された第１利得を選択的に提供する媒体利得選択部と、
　レーザダイオードから出力された光信号の種類によって、前記媒体利得選択部の出力と乗算される複数の出力利得とから選択された第２利得を比較器に選択的に提供し、レーザダイオード制御時に使われる提供された第１及び第２利得によってモニタリング信号を発生させることを特徴とする光ピックアップシステムのモニタフォトダイオード利得制御装置。
【請求項２４】
　前記媒体利得選択部は、
　記録／再生するディスクがＣＤである時、第３利得を第１利得として提供し、ディスクがＤＶＤである時、第３利得でない第４利得を第１利得として提供することを特徴とする請求項２３に記載の光ピックアップシステムのモニタフォトダイオード利得制御装置。
【請求項２５】
　前記動作利得選択部は、
　レーザダイオードに予熱用オーバーパワーの出力が命令される時、第３利得を第２利得として提供し、記録または再生用パワーの出力が命令される時、第３利得でない第４利得を第２利得として提供することを特徴とする請求項２３に記載の光ピックアップシステムのモニタフォトダイオード利得制御装置。
【請求項２６】
　前記第３利得は、
　検出された光パワーが実質的にオーバーパワーである時、所定のカットオフ電圧を出力するように決められることを特徴とする請求項２５に記載のピックアップシステムのモニタフォトダイオード利得制御装置。
【請求項２７】
　前記第４利得は、
　検出された光パワーが実質的に記録または再生パワーである時、所定のカットオフ電圧を出力するように決められることを特徴とする請求項２５に記載の光ピックアップシステムのモニタフォトダイオード利得制御装置。
【請求項２８】
　前記動作利得選択部は、
　レーザダイオードにオーバーパワー出力が命令される時より記録または再生用パワー出力が命令される時、前記第２複数利得からさらに大きい利得を選択することを特徴とする請求項２３に記載の光ピックアップシステムのモニタフォトダイオード利得制御装置。
【請求項２９】
　前記レーザダイオードを駆動するためのパワーイネーブル信号を伝送する光ピックアップ制御器をさらに備え、パワーイネーブル信号が光ピックアップ制御器からレーザダイオードに入力される時、前記動作利得選択部はオーバーパワー用利得を提供し、パワーイネーブル信号がレーザダイオードに入力されない時、前記動作利得選択部は記録または再生パワーのための他の利得を提供することを特徴とする請求項２３に記載の光ピックアップシステムのモニタフォトダイオード利得制御装置。
【請求項３０】
　前記パワーイネーブル信号は、
　光ピックアップ制御部からレーザダイオードに入力されるオーバーパワーイネーブル信号を利用してなされることを特徴とする請求項２９に記載の光ピックアップシステムのモニタフォトダイオード利得制御装置。
【請求項３１】
　請求項１に記載の光ピックアップシステムを含み、光ピックアップシステムを制御してディスクについてのデータを伝送し、モニタリング信号によってレーザダイオードを駆動する制御器をさらに備える光記録及び／または再生システム。
【請求項３２】
　請求項８に記載のモニタ制御装置を含み、レーザダイオードを含む光ピックアップと、光ピックアップを制御してディスクについてのデータを伝送し、利得制御信号によってレーザダイオードを駆動する制御器とをさらに備える光記録及び／または再生システム。
【請求項３３】
　請求項１６に記載の光ピックアップシステムを含み、光ピックアップを制御してディスクについてのデータを伝送し、利得制御信号によってレーザダイオードを駆動する制御器をさらに備える光記録及び／または再生システム。
【請求項３４】
　請求項２３に記載のモニタフォトダイオード制御装置を含み、レーザダイオードを含む光ピックアップと、光ピックアップを制御してディスクについてのデータを伝送し、利得制御信号によってレーザダイオードを駆動する制御器と、をさらに備える光記録及び／または再生システム。
【請求項３５】
　モニタフォトダイオード制御装置において、
　レーザダイオードから出力される光信号の種類を決定し、決定された光信号の種類によってレーザダイオードから出力されて検出された光パワー信号を調整する検出部と、
　光信号のパワーレベルを維持するのに使用するモニタリング信号を発生させるために前記調整された光パワー信号を使用する信号出力部と、を含むことを特徴とするモニタフォトダイオード制御装置。
【請求項３６】
　前記検出部は、出力される光信号の種類に相応する入力信号を受信し、入力信号に相応する複数の調整ファクターから一つの調整ファクターを選択し、選択された調整ファクターによって検出された光パワー信号を調整することを特徴とする請求項３５に記載のモニタフォトダイオード制御装置。
【請求項３７】
　前記入力信号は、レーザダイオードによって発光された光が受光されているディスクの種類を示し、前記複数の調整ファクターは、第１類型のディスクに相応する第１調整ファクターと、第１類型でない第２類型のディスクに相応する第２調整ファクターと、を含むことを特徴とする請求項３６に記載のモニタフォトダイオード制御装置。
【請求項３８】
　前記入力信号は、ディスクに対してレーザダイオードから発散された光で行われる光動作の類型を示し、前記複数の調整ファクターは、第１最大レーザダイオードパワーを備えた光動作に相応する第１調整ファクター及び第１最大レーザダイオードパワーレベルと異なる第２最大レーザダイオードパワーレベルを備えた光動作に相応する第２調整ファクターを含むことを特徴とする請求項３６に記載のモニタフォトダイオード制御装置。
【請求項３９】
　前記第１最大レーザダイオードパワーレベルは、予熱用オーバーパワー動作に相応し、前記第２最大レーザダイオードパワーレベルは、記録または再生動作に相応することを特徴とする請求項３８に記載のモニタフォトダイオード制御装置。
【請求項４０】
　前記光信号の決定類型は、最大パワーを備え、前記検出部はその最大パワーと比較して検出光パワーを調整することを特徴とする請求項３５に記載のモニタフォトダイオード制御装置。
【請求項４１】
　前記モニタリング信号は、検出光パワーが前記最大パワー以上であれば、最小信号が出力されると同様に、最大パワーに対して逆関係を有することを特徴とする請求項４０に記載のモニタフォトダイオード制御装置。
【請求項４２】
　前記最大パワーは、第１類型の光信号に対して前記最大パワーが第１レベルとなり、第２類型の光信号に対して前記最大パワーが第２レベルとなるように、光信号の類型によって変化されることを特徴とする請求項４１に記載のモニタフォトダイオード制御装置。
【請求項４３】
　前記検出部は、第１類型の光信号に対する第１関係を利用して検出された光パワーを調整し、第２類型の光信号に対する第２関係を利用して検出された光パワーを調整し、
　前記第１関係は、第２関係とは異なることを特徴とする請求項３５に記載のモニタフォトダイオード制御装置。
【請求項４４】
　請求項３５に記載のモニタフォトダイオードを制御するための装置を含み、レーザダイオードを含む光ピックアップと光ピックアップを制御してディスクに対するデータを伝送し、モニタリング信号によってレーザダイオードを駆動する制御器と、をさらに備えることを特徴とする光記録及び／または再生システム。
【発明の詳細な説明】
【技術分野】
【０００１】
　本発明は光ピックアップ装置のモニタフォトダイオード（ＰＤ：Ｐｈｏｔｏ Ｄｉｏｄｅ）に係り、より詳細にはモニタＰＤの性能を向上させるためにモニタＰＤの動的領域に対する制御を行うモニタＰＤ制御装置及び方法に関する。
【背景技術】
【０００２】
　光ピックアップは、光ディスクの記録及び再生のためのものである。レーザダイオード（ＬＤ：Ｌａｓｅｒ Ｄｉｏｄｅ）を通じて発散される所定パワーの光を利用して光ディスクの記録、再生及び消去のような動作がなされる。ＰＤまたはフロントＰＤ（ＦＰＤ）は、光ピックアップ内でＬＤを通じて発散される光パワーを監視し、その監視結果を光パワー制御部にフィードバックする。光パワー制御部は、モニタＰＤからフィードバックされたモニタリング結果から導出された光パワー情報を通じて、ＬＤのパワーを調整する。
【０００３】
　図１は、光ピックアップ装置の概略図であって、光ピックアップ装置は、ＬＤ１００、光学器１１０、モニタＰＤ１２０及び制御部１３０を含む。
【０００４】
　光ディスク１４０に記録または再生のような動作を行うために、まず、制御部１３０から当該動作のために要望される電気信号をＬＤ１００に提供する。ＬＤ１００は、制御部１３０から受信した電気信号に当たるパワーを有する光信号を出力する。出力された光信号は、光学器１１０を通じて、ほとんどが（例えば、９０％）光ディスク１４０に発散され、出力光信号の残りの一部が（例えば、１０％）モニタＰＤ１２０に入力される。モニタＰＤ１２０は、光学器１１０を通じて受信した光信号を電気信号に変換して制御部１３０にフィードバックする。制御部１３０は、モニタＰＤ１２０からフィードバックされた信号を通じてＬＤ１００に伝送する信号の強さを調整する（ＡＰＣ：ａｕｔｏｍａｔｉｃ ｐｏｗｅｒ ｃｏｎｔｒｏｌ）。
【０００５】
　図２は、光ディスクへの記録が行われる時、ＬＤ１００に提供される光パワー信号とそれに相応するモニタＰＤ１２０の出力信号との関係の例を示したものである。
【０００６】
　光ディスク１４０に記録が行なわれる時、ＬＤ１００には予熱のために最大のオーバーパワーが与えられ、次にそれより弱い記録パワーが与えられ、最後に記録確認のための判読用信号として最小のリ―ドパワーが与えられる。この時、モニタＰＤ１２０は、一定の利得をもってＬＤ１００に与えられたパワーの強さに相応する信号を出力する。
【０００７】
　しかし、一般的にＬＤ１００は、温度が上昇すれば出力効率が下げられるという特性がある。したがって、光ピックアップ制御部１３０からＬＤ１００に一定の光パワー信号を発散するように指示したとしても温度上昇によって実際発散される光パワーの出力が指示されたものより低いこともある。このために、ＬＤ１００に与えられる光パワーをモニタＰＤ１２０で監視して制御部１３０にフィードバックすることによって制御部１３０で前述したＡＰＣを行う。
【０００８】
　図３は、モニタＰＤ１２０の動作範囲を示すグラフである。
【０００９】
　ＬＤ１００に与えられる最大光パワーでモニタＰＤ１２０の出力は実質的に最小となり、最小光パワーでモニタＰＤ１２０の出力は実質的に最大とならなければならない。モニタＰＤ１２０の最大出力は、所定の基準電圧Ｖｒｅｆ値となり、最小値は所定のカットオフ電圧値に当たる。ＬＤ１００に加えられる最大光パワーの強さ（通常、オーバーパワー）を考慮してモニタＰＤ１２０のカットオフ電圧（通常、１Ｖ）をマッチすることが一般的である。したがって、基準電圧とカットオフ電圧とが一定した時、グラフの傾きは最大光パワーに影響を及ぼす光ディスクの種類、すなわち光ディスクの密度によって、そして再生（記録）速度（倍速）によって異なる。
【００１０】
　すなわち、固定された基準電圧が与えられる光ピックアップ装置を利用して多様な倍速と記録密度とを有する光ディスクを再生する時、光ピックアップのモニタＰＤ１２０の動作範囲が各々変わる。例えば、相対的にさらに強い光パワーの提供が必要な光ディスク１４０の場合、光パワーの出力変化対応モニタＰＤ１２０の出力変化率が小さくなる。よって、さらに強い光パワーが必要な光ディスク使用時、ＬＤ１００に実際出力される光パワーの強さの変化に対してモニタＰＤ１２０の動作範囲が狭くなって、光ピックアップのＡＰＣを行うのに当って正確性が劣るという問題点が発生する。
【発明の開示】
【発明が解決しようとする課題】
【００１１】
　本発明が解決しようとする技術的課題は、光ピックアップのＡＰＣの正確性を上げるために、ＬＤに提供されるパワーの強さによってモニタＰＤの動作範囲を制御する装置及び方法を提供することである。
【課題を解決するための手段】
【００１２】
　前記課題を解決するためのＬＤを駆動するための光パワーを出力及び制御するピックアップシステムは、ＬＤの駆動光パワーの種類によって入力に対する出力利得を選択するモニタＰＤを含むことを特徴とする。
【００１３】
　前記モニタＰＤは、ＬＤに予熱用オーバーパワーの出力が命令される時と、記録または再生用パワー出力が命令される時とに前記利得を異にすることが望ましい。
【００１４】
　前記モニタＰＤは、ＬＤにオーバーパワー出力が命令される時、オーバーパワーに対して実質的に所定のカットオフ電圧を出力するように利得が決められることが望ましい。
【００１５】
　前記モニタＰＤは、ＬＤに記録または再生用パワー出力が命令される時、記録パワーに対して実質的に前記カットオフ電圧を出力するように利得が決められることが望ましい。
【００１６】
　前記モニタＰＤは、ＬＤにオーバーパワーの出力が命令される時より記録または再生用パワー出力が命令される時、利得を大きく動作することが望ましい。
【００１７】
　前記利得の選択は、光ピックアップ制御部でＬＤ駆動のために指示されるパワーイネーブル信号を利用してなされることが望ましい。
【００１８】
　前記利得の選択は、オーバーパワーイネーブル信号を利用してなされることが望ましい。
【００１９】
　前記課題を解決するための光ピックアップシステムでディスク記録及び再生を行う時、光を照射するＬＤの光パワーに対してモニタリングするモニタＰＤの利得制御装置は、ＬＤ光出力信号に相応する電圧信号と所定基準電圧信号とを比較する比較器と、前記比較器の出力利得をＬＤ光出力信号の種類によって選択的にスイッチングする利得選択部と、を含むことを特徴とする。
【００２０】
　前記比較器の出力信号レベルを光ピックアップ制御器の入力信号レベルに合わせて出力する出力部をさらに含むことが望ましい。
【００２１】
　前記利得選択部は、ＬＤに予熱用オーバーパワーの出力が命令される時と、記録または再生用パワー出力が命令される時とを区分して各々相異なる利得を選択することが望ましい。
【００２２】
　前記利得選択部は、ＬＤにオーバーパワーの出力が命令される時、オーバーパワーに対して実質的に所定のカットオフ電圧を出力するように利得を選択することが望ましい。
【００２３】
　前記利得選択部は、ＬＤに記録または再生用パワーの出力が命令される時、記録パワーに対して実質的に前記カットオフ電圧を出力するように利得を選択することが望ましい。
【００２４】
　前記利得選択部は、ＬＤにオーバーパワーの出力が命令される時より記録または再生用パワー出力が命令される時、前記比較器の出力の利得を大きく動作することが望ましい。
【００２５】
　前記利得選択部は、光ピックアップ制御部でＬＤ駆動のために指示されるパワーイネーブル信号が前記利得選択部に入力されれば、オーバーパワーに対する利得を選択し、それ以外の場合には記録または再生用パワーに対する利得を選択することが望ましい。
【００２６】
　前記パワーイネーブル信号は、光ピックアップ制御部からＬＤに入力されるオーバーパワーイネーブル信号を利用してなされることが望ましい。
【発明の効果】
【００２７】
　本発明によれば、光ピックアップシステムのＬＤ温度変化による出力効率の低下に対して、モニタＰＤの記録及び再生の場合と予熱の場合とを分離して動作利得を選択させることによってＬＤパワー制御をさらに精密にできる。
【００２８】
　また、記録及び再生ディスクの種類によってモニタＰＤの利得を調整した後、各媒体の動作に対してその利得を再調整することによってさらに正確なＬＤパワー制御が可能である。
【発明を実施するための最良の形態】
【００２９】
　以下、添付された図面を参照して本発明を詳細に説明する。
【００３０】
　図４は、図８に示したような光システムに使われるモニタＰＤ利得制御装置の概略図を示すものである。モニタＰＤ利得制御装置８２０は、ＬＤ光出力信号に相応する電圧信号と所定基準電圧信号とを比較する比較器４００と比較器４００の出力利得をＬＤ光出力信号の種類によって選択的にスイッチングする利得選択部４１０とを含む。また、比較器４００の出力信号レベルを光ピックアップ制御器の入力信号レベルに合わせて出力する出力部４２０をさらに含みうる。しかし、出力部４２０は、本発明の全ての様相から要求されるものではない。
【００３１】
　比較器４００は、ＬＤ出力光パワー信号に対して一定割合で比例するモニタＰＤ出力信号と、所定の基準信号とを入力信号にする。二つの入力信号を比較し、その結果を所定利得を有したまま出力させる。
【００３２】
　利得選択部４１０は、比較器４００の出力光パワー信号が記録または再生のための信号である時の場合と予熱のためのオーバーパワー信号である時の場合とを各々区分し、そのそれぞれの場合に対して比較器４００の利得を異ならせるためのものである。
【００３３】
　本発明の一様相によれば、利得選択部４１０で記録または再生のための光パワー出力信号での利得とオーバーパワー出力信号での利得とを選択させることは、光ピックアップ装置のＬＤ駆動ドライバー（図示せず）に入力されるオーバーパワー用イネーブル信号でありうる。すなわち、オーバーパワー用イネーブル信号が図８に示された光ピックアップ制御部から発生してＬＤ駆動ドライバーに入力される時、利得選択部４１０は、オーバーパワー信号である場合の利得を発生させるように比較器４００の利得を選択する。その以外の場合である、オーバーパワー用イネーブル信号が発生しない場合、利得選択部４１０は、記録または再生信号の場合に対して利得が発生するように一つ以上の残りの利得を選択する。
【００３４】
　ＬＤ駆動信号が記録または再生信号用である場合、オーバーパワー信号用である場合よりＬＤ駆動信号の大きさが小さいため、モニタＰＤで考慮しなければならない最大光パワー値が小さくなりうる。図５は、ＬＤ駆動信号が記録または再生信号である場合（Ａ）とオーバーパワー信号（Ｂ）である場合とに各々相当するモニタＰＤの動作グラフを示している。
【００３５】
　図５において、ＬＤ出力光パワーが記録または再生用である場合、記録用光パワーに相応する信号がモニタＰＤで考慮すべき最小値とならなければならない。ＬＤから出力される光パワーがない時、モニタＰＤは最大値の基準電圧Ｖｒｅｆを維持し、ＬＤから記録光パワーが出力される時、最小値、または実質的にカットオフ電圧を維持するようにモニタＰＤの利得制御動作がなされる（Ａ）。
【００３６】
　図５において、ＬＤ出力光パワーがオーバーパワーである場合、オーバーパワーに当たる光パワーでモニタＰＤの利得制御装置の出力が最小値、または実質的にカットオフ電圧を維持するようにモニタＰＤの利得制御装置の動作が行わさなければならない（Ｂ）。
【００３７】
　このように、モニタＰＤの利得制御装置の出力は、ＬＤ１００のオーバーパワー出力時の光パワーを光ピックアップ制御部にフィードバックしないので、可能な出力電圧の範囲（カットオフ電圧から基準電圧まで）に対して入力電圧（動作可能なＬＤ１００の光パワーに当たる電圧）の範囲が広くても光ピックアップ制御に何らの影響も及ぼさない。
【００３８】
　これと違ってＬＤの光パワーが記録または再生のためのもである時、それに相応するモニタＰＤ利得制御装置の出力電圧は図８に示された光ピックアップ制御部８００にフィードバックされる。この場合、モニタＰＤの動作時、最小値またはカットオフ電圧に相応する光パワーの範囲が減るほど、記録パワーの変化に対してモニタＰＤの出力がさらによく反映される。
【００３９】
　図６は、本発明のモニタＰＤ利得制御装置のより詳細な実施例である。
【００４０】
　図６のモニタＰＤ利得制御装置は、ワンチップ６０内に具現されうる。ワンチップ６０内の構成は、ＰＤ６００、第１比較器６１０、利得選択部６２０、第２比較器６３０を含む。
【００４１】
　モニタＰＤ６００は、図８に示されたＬＤ１００の出力光パワーと比例する所定比率の光を受光するものであって、パワーの大きさに相応する電圧信号がカソード端子に表れる。
【００４２】
　第１比較器６１０は、ＰＤ６００のカソード端子に表れた電圧を第１入力信号とし、所定基準電圧Ｖｒｅｆを第２入力として、第１入力信号と第２入力信号との差を出力する。ＬＤ１００が光パワーを出力しない時、第１比較器６１０は基準電圧を出力し、ＬＤ１００が最大光パワーを出力する時、第１比較器６１０の出力は最小値または所定のカットオフ値となる。
【００４３】
　利得選択部６２０は、ＬＤ１００がオーバーパワーを出力する場合と記録または再生するためのレーザパワーを出力する場合とに各々選択される選択回路を含む。この選択回路は、第１比較器６１０の出力利得に影響を与える。その利得は、オーバーパワー出力の場合、ＰＤ６００にＬＤのオーバーパワーに相応する光パワーが入力される時、第１比較器６１０の出力が、例えば１Ｖと同じ最小カットオフ電圧となるように調整される。記録または再生の場合、第１比較器６１０の利得は、ＰＤ６００にＬＤの記録パワーに相応する光パワーが入力される時、第１比較器６１０の出力が最小カットオフ電圧の１Ｖに会わせられる。利得選択部６２０のスイッチ選択による第１比較器の動作利得に関するものは、図５のグラフを参照できる。
【００４４】
　利得選択部６２０の選択信号は、光ピックアップ制御部（図示せず）からＬＤ駆動ドライバ６４０に提供される光パワー種類の信号のうち何れか一つ信号となりうる。ＬＤ駆動ドライバ６４０には駆動する光パワーの種類が記録用であるか予熱用であるかを表す信号が入力される。この信号のうち、例えば、予熱用信号が入力される時、その信号を利得選択部６２０の利得選択信号として使用できる。利得選択部６２０は、通常、記録または再生用利得発生位置にあり、予熱用信号がイネーブルにされればオーバーパワー時の利得を発生させるようにスイッチングされる。
【００４５】
　第２比較器６３０は、第１比較器６１０の出力を増幅してピックアップ制御部にフィードバックする。第２比較器６３０の出力は、ＬＤ光パワーに比例する電圧でなければならない。
【００４６】
　図７は、本発明のモニタＰＤ利得制御装置の他の実施例である。
【００４７】
　図７のモニタＰＤ利得制御装置は、ＰＤ７００、第１比較器７１０、媒体利得選択部７２０、第２比較器７３０及び動作利得選択部７４０を含み、図６の装置と比較する時、ＣＤとＤＶＤとによって各々モニタＰＤの動作利得が相異に構成される。しかし、前記利得が他の光学特性またはその他の記録媒体に基づいていることが理解できる。
【００４８】
　モニタＰＤ７００は、ＬＤ１００の出力光パワーと比例する所定比率の光を受光するものであって、パワーの大きさに相応する電圧信号がカソード端子に表れる。
【００４９】
　第１比較器７１０は、ＰＤ７００のカソード端子に表れた電圧を第１入力信号とし、所定基準電圧Ｖｒｅｆを第２入力として、第１入力信号と第２入力信号との差を出力する。ＬＤ１００が光パワーを出力しない時、第１比較器７１０は基準電圧を出力し、ＬＤ１００が最大光パワーを出力する時、第１比較器７１０の出力は最小値または所定のカットオフ値となる。
【００５０】
　媒体利得選択部７２０は、再生または記録する媒体がＣＤであるかＤＶＤであるかによって第１比較器７１０の出力利得を選択する。それぞれの利得選択値であるＶＲ１（ＣＤ）とＶＲ２（ＤＶＤ）とはピックアップを構成する時、所定の最善の値にセッティングされる。
【００５１】
　第２比較器７３０は、媒体利得選択部７２０で選択された利得による第１比較器７１０の出力値と基準電圧Ｖｒｅｆとを比較してその差を出力する。
【００５２】
　動作利得選択部７４０は、ＬＤがオーバーパワーを出力する場合と記録または再生するためのレーザパワーを出力する場合とによって各々選択される選択回路を含む。この選択回路は、第２比較器７３０の出力利得に影響を与える。その利得は、オーバーパワー出力の場合、ＰＤ７００にＬＤのオーバーパワーに相応する光パワーが入力される時、第２比較器７３０の出力が１Ｖと同じ最小カットオフ電圧となるように調整される。記録または再生の場合、第２比較器７３０の利得はＰＤ７００にＬＤの記録パワーに相応する光パワーが入力される時、第２比較器７２０の出力が最小カットオフ電圧の１Ｖと同じなように調整される。動作利得選択部７４０による第２比較器の動作利得に関するものは、図５のグラフを参照できる。
【００５３】
　動作利得選択部７４０の選択信号は、図６のように図８に示された光ピックアップ制御部８００からＬＤ駆動ドライバ７５０に提供される光パワーの種類の信号のうち何れか一つの信号となりうる。
【００５４】
　図７は、まず記録または再生するディスクの種類がＣＤであるかＤＶＤであるかによってモニタＰＤ７００の出力利得が決定され、そのそれぞれの媒体動作のうちオーバーパワーが媒体に提供される場合と記録及び再生パワーが媒体に提供される場合とを再び区分してモニタＰＤ７００の出力利得を選択するように動作する。
【００５５】
　ＣＤとＤＶＤとは各々提供される最大光パワーが異なるので、これに対するモニタＰＤの利得を選択的に考慮することが望ましい。また、ＣＤやＤＶＤ記録／再生時に全て初期予熱のためのオーバーパワーはピックアップ制御部でモニタリングされないため、オーバーパワーの提供時と記録／再生パワーの提供時との利得を各々選択的に考慮する。これにより、モニタリングされるピックアップ光の正確度が大きくなるので、ＡＰＣをさらに正確にできる。
【００５６】
　従来には、図３ＢのようにＬＤ１１０が出力する最大光パワーであるオーバーパワーを基準としてモニタＰＤ１２０の動作範囲を設計し、その動作範囲内で記録及び再生時の光パワーに対してモニタリングしたので、光パワーの変化に対してモニタＰＤ１２０の出力電圧の変化が極微であった。それにより、光パワーの変化に対する光ピックアップ制御動作が繊細になされられなかった。本発明は、ＬＤ１１０のオーバーパワーの出力と記録及び再生時の光パワー出力とに対するモニタＰＤ１２０の動作範囲を異にし、特に光ピックアップ制御部８００にフィードバックされる記録及び再生時の光パワーに対して絶対利得が大きい出力値を出力して光ピックアップ制御部８００をしてさらに正確なＡＰＣ制御を可能にする。
【００５７】
　図８は、本発明の一実施例による光システムを示したものであって、ＬＤ１００、光学装置１１０、モニタＰＤ８２０及び制御部８００を含む。データを光ディスク１４０上に／から記録／再生するために、制御部８００は電気的信号をＬＤ１００に伝送する。ＬＤ１００は、受信された電気信号のパワーに相応する光学的信号を出力する。ほとんどの出力光信号、例えば、９０％の出力光信号は光学装置１１０を通じて光ディスク１４０に発散される。残りの出力光信号は、モニタＰＤ８２０に入力される。モニタＰＤ８２０は、ＬＤ１００に送られた電気信号を受信して光学装置１１０を通じて受信された光信号を他の電気的信号に転換し、その他の電気信号を制御部８００にフィードバックする。制御部８００は、モニタＰＤ８２０からフィードバックされたその他の電気信号に基づいてＬＤ１００に伝送される電気信号のパワーを調整する。
【００５８】
　本発明の一様相によれば、光検出器は光ディスク１４０から反射された光を受信し、制御部８００は受信された光からデータを検出して、ＬＤ１００から出力された光信号を光ディスク１４０にフォーカスするようにレンズユニットを調整する制御動作を行い、モータを制御して光ディスクを記録及び／または再生用で回転させるということが分かる（図示せず）。また、制御部８００がこの装置の動作を制御する多様な制御器のうち何れか一つでありうるということも分かる。
【００５９】
　以上、ここで特定な用語が使われたが、これは単に本発明を説明するための目的で使われたものに過ぎず、意味限定や特許請求の範囲に記載された本発明の範囲を制限するために使われたものではない。したがって、当業者ならば、これから多様な変形及び均等な他の実施例が可能であることが分かる。したがって、本発明の真の技術的保護範囲は特許請求の範囲の技術的思想によって決まらなければならない。
【産業上の利用可能性】
【００６０】
　本発明は光ディスクの記録及び再生のための光ピックアップシステムのモニタＰＤ利得制御装置に利用できる。
【図面の簡単な説明】
【００６１】
【図１】一般的な光ピックアップ装置の概略図である。
【図２】光ディスクへの記録が行われる時、ＬＤに提供される光パワー信号とそれに相応するモニタＰＤの出力信号との例を示す図面である。
【図３】モニタＰＤの動作範囲を示すグラフである。
【図４】本発明の光ピックアップのモニタＰＤ利得制御装置の概略図を示す。
【図５】ＬＤ駆動信号が記録または再生信号（Ａ）の場合とオーバーパワー信号（Ｂ）の場合とに各々当たるモニタＰＤの動作グラフを示す。
【図６】本発明のモニタＰＤ利得制御装置のさらに詳細な実施例である。
【図７】本発明のモニタＰＤ利得制御装置の他の実施例である。
【図８】本発明による光システムのブロック図である。
【符号の説明】
【００６２】
　４００　　比較器
　４１０　　利得選択部
　４２０　　出力部
【図１】
2004146050.tif 000003
【図２】
2004146050.tif 000004
【図３】
2004146050.tif 000005
【図４】
2004146050.tif 000006
【図５】
2004146050.tif 000007
【図６】
2004146050.tif 000008
【図７】
2004146050.tif 000009
【図８】
2004146050.tif 000010